(57)【特許請求の範囲】
【請求項１】
垂直の基板の両側端を折り返して、互いに内方を向く係止部が形成され、支保工の前面に固定されるベース金具と、前記ベース金具との間に防水シートを位置させた折り曲げ状態から展開状態に展開したとき、前記係止部と基板との間に前記防水シートとともに嵌入される左右１対の蝶番片を備えた蝶番状係止部材と、前記一方の蝶番片の前面に突設され、操作杆を着脱自在に装着する係止ピンと、前記他方の蝶番片の前面に突設され、吊り鉄筋をねじ込むための雌ねじ部材と、前記係止ピンに回転自在に取り付けられ、前記雌ねじ部材に係止されるフック状の保持片とを備えた地下構造物施工用鉄筋支持金具において、
前記保持片を、前記係止ピンの定位置で回転するように取り付けて、
前記展開状態のとき前記保持片を回転して前記雌ねじ部材に係止させると、前記一対の蝶番片を展開状態に保持する前記保持片が、前記防水シートを前記ベース金具の両係止部の前面に押し付けて保持するようにしたことを特徴とする地下構造物施工用鉄筋支持金具。
【請求項２】
前記雌ねじ部材は、角ナットにより構成されていることを特徴とする請求項１記載の地下構造物施工用鉄筋支持金具。
【発明の詳細な説明】
【技術分野】
【０００１】
本発明は、トンネル、河川、港湾、又は建築等の工事における地下構造物のコンクリート施工時において、鉄筋を地下構造物の壁面に固定する地下構造物施工用鉄筋支持金具に関する。
【背景技術】
【０００２】
例えば、トンネル工事においては、地山にトンネルを穿削した後、その内面に、１次覆工コンクリートを吹付けて施工し、次いで、その表面に非通水性の防水シートを、その適所に釘止めすることにより貼設し、その後、防水シートの一部に穿孔し、そこに鉄筋支持金具を位置させ、１次覆工コンクリートより露呈させた支保工に溶接等により固着し、その前方にコンクリート型枠を構築し、次いで、防水シートとコンクリート型枠との間に、２次覆工用のコンクリートを打設していた。
【０００３】
しかし、かかる施工方法では、防水シートの穿孔部分にシール材を介在させても、漏水を充分に防止することは困難であり、地山からの湧水が、２次覆工コンクリート側に浸出し、トンネル内の路面や、コンクリート層へ浸透した湧水の凍結に伴う膨脹によるコンクリート層の破壊等の原因となっている。
【０００４】
そのため、防水シートに穿孔することなく、鉄筋を支持する技術として、支保工にベース金具を溶接し、蝶番状係止部材で吊り鉄筋をベース金具に係止させるようにした技術が提案されている（例えば特許文献１を参照）。
【先行技術文献】
【特許文献】
【０００５】
【特許文献１】特開２０００−３４８９９号公報
【発明の概要】
【発明が解決しようとする課題】
【０００６】
特許文献１に記載されている技術によると、防水シートに孔をあけることなく、簡易な作業で、防水シート表面に鉄筋支持金具を取り付けることができるが、以下のような改良すべき点があった。
【０００７】
すなわち、フック状の保持具は、単に蝶番片が曲がらないように、蝶番片に設けた吊り鉄筋支持用の雌ねじ部材に係止させるだけの機能であり、防水シートをベース金具に押え付ける機能は有していなかった。そのため、鉄筋取付金具を施工した後の防水シートがベース金具の前面から浮きやすく、そのため、防水シートによじれを生じやすいという問題があった。また、吊り鉄筋を取り付ける雌ねじ部材として円筒形状のものを用いるため、雌ねじ部材としての特別な部品加工を必要とし、部品加工コストが高価になるという問題もあった。
【０００８】
本発明は、このような課題を解決したもので、防水シートを確実にベース金具に押し付けて固定し、防水シートによじれが生じにくいようにするとともに、雌ねじ部材の部品加工コストの低減をはかった地下構造物施工用鉄筋支持金具を提供することを目的とする。
【課題を解決するための手段】
【０００９】
上記目的を達成するため、請求項１記載の地下構造物施工用鉄筋支持金具は、垂直の基板の両側端を折り返して、互いに内方を向く係止部が形成され、支保工の前面に固定されるベース金具と、前記ベース金具との間に防水シートを位置させた折り曲げ状態から展開状態に展開したとき、前記係止部と基板との間に前記防水シートとともに嵌入される左右１対の蝶番片を備えた蝶番状係止部材と、前記一方の蝶番片の前面に突設され、操作杆を着脱自在に装着する係止ピンと、前記他方の蝶番片の前面に突設され、吊り鉄筋をねじ込むための雌ねじ部材と、前記係止ピンに回転自在に取り付けられ、前記雌ねじ部材に係止されるフック状の保持片とを備えた地下構造物施工用鉄筋支持金具において、前記保持片を、前記係止ピンの定位置で回転するように取り付けて、前記展開状態のとき前記保持片を回転して前記雌ねじ部材に係止させると、前記一対の蝶番片を展開状態に保持する前記保持片が、前記防水シートを前記ベース金具の両係止部の前面に押し付けて保持するようにしたことを特徴とするものである。
【００１０】
請求項２記載の地下構造物施工用鉄筋支持金具は、請求項１記載の地下構造物施工用鉄筋支持金具であって、前記雌ねじ部材は、角ナットにより構成されていることを特徴とするものである。
【発明の効果】
【００１１】
本発明によれば、保持片により防水シートをベース金具に押し付けて固定することができ、防水シートによじれが生じにくく、張りを持たせた状態で確実に鉄筋支持金具を取り付けることができる。また、吊り鉄筋取り付け用の雌ねじ部材として角ナットを使用することにより、市販の角ナットを使用することができ、部品加工コストを低減させることができる。
【図面の簡単な説明】
【００１２】
【図１】本発明の地下構造物施工用鉄筋支持金具の実施形態を示す前方斜視図である。
【図２】地下構造物施工用鉄筋支持金具による防水シートの取り付け過程を示す平面図である。
【図３】示す地下構造物施工用鉄筋支持金具による防水シートの取り付け完了状態を示す平面図である。
【発明を実施するための形態】
【００１３】
以下、本発明の実施形態を図面を参照しながら説明する。
図１は、本発明の地下構造物施工用鉄筋支持金具の実施形態を示す前方斜視図である。
本発明の地下構造物施工用鉄筋支持金具(以下、鉄筋支持金具と称する)は、ベース金具１０と、蝶番状係止部材２０とを備えている。ベース金具１０は、方形の基板１１の両側端を、前方および内方へ２度直角に屈曲することにより折り返して形成した、対向コ形断面の係止部１２、１２を両側に有する略Ｃ形状である。蝶番状係止部材２０は、２枚の方形の蝶番片２０a、２０ｂの端縁同士を、上下方向を向く枢軸２３をもって枢着したものである。なお、蝶番片２０a、２０ｂは、全ての角部で面取りされており、防水シートに当たる部分で防水シートが破れるのを防止するようにしている。
【００１４】
一方の蝶番片２０aの前面中央部に係止ピンである支持ピン２８が溶接により固着され、他方の蝶番片２０ｂの前面中央に前方を向く雌ねじ部材２６が溶接により固着されている。支持ピン２８には、正面略フック形状をなす板状の保持片２９が回転自在に取り付けられている。保持片２９は、支持ピン２８に固定された止めリング３０により前後の移動が規制されている。すなわち、保持片２９は、支持ピン２８の定位置で回転するように取り付けられている。
【００１５】
雌ねじ部材２６には、全長にわたって雄ねじ２５aが切られた吊り鉄筋２５がねじ込まれている。また、支持ピン２８には円筒状の操作杆２４が着脱自在に挿入されている。
なお、吊り鉄筋２５をねじ込むための雌ねじ部材２６として図示のような角ナット２６を用いると、市販の部材が使用でき、雌ねじ部材２６として特別な加工部品を使用する必要がないので、その分安価な製品とすることができる。但し、雌ねじ部材２６は円筒状のもの、あるいはその他の任意の形状のものでもよい。
【００１６】
図２は、図１に示す鉄筋支持金具の蝶番状係止部材２０をベース金具１０に取り付ける途中の状態を示す平面図、図３は、本発明の鉄筋支持金具の使用状態を示す平面図である。
【００１７】
地山に穿削したトンネルの表面に吹付け施工した１次覆工コンクリート３０より露呈する支保工４０に、溶接等によりベース金具１０を固着する。
【００１８】
次いで、防水シート５０の一部をベース金具１０の前部へ当てた状態で、図２に示すように、蝶番片２０a、２０ｂをやや折曲げ状態として、防水シート５０の前部に当接させ、操作杆２４と吊り鉄筋２５を両手で引き寄せることにより、蝶番片２０a、２０ｂを平坦状態に広げてベース金具１０の係止部１２、１２へ嵌入させる。次いで、保持片２９を回転させて、雌ねじ部材２６へ係止させることにより、図３に示すように、保持片２９の両端部とベース金具１０の前面との間で防水シート５０を挟み込み、防水シート５０を確実にベース金具１０に圧接固定する。このようにして、防水シート５０に穿孔することなく容易かつ確実に段取り鉄筋２５が取付けされる。
【００１９】
次いで、操作杆２４を、支持ピン２８から取り外し、吊り鉄筋２５の先端部を段取り鉄筋６０に溶接するか、又は針金もしくは固定金具で留めつけることにより、段取り鉄筋６０を吊下げる。
【００２０】
蝶番片２０a、２０ｂをベース金具１０から取り外す場合は、保持片２９を反時計方向に回転させて雌ねじ部材２６との係止を解き、操作杆２４と吊り鉄筋２５を左右に拡開させると、図２に示すように、ベース金具１０の蝶番片２０a、２０ｂが折曲げ状態となり、容易にベース金具１０から取りはずすことができる。
【００２１】
なお、図１に示すように、ベース金具１０の基板１１の上端部および下端部に、前方に突出する位置決め用突起１１a、１１ｂを形成しておくことにより、防水シート５０を挟んで蝶番状係止部材２０をベース金具１０に係止させる際に、蝶番片２０a、２０ｂの上下の位置決めが容易になり、特に防水シートが不透明の場合に有効である。但し、位置決め用突起１１a、１１ｂは設けなくても実施は可能である（図２、図３は位置決め用突起１１a、１１ｂを設けていない例である）。
【００２２】
以上のように、本発明の鉄筋支持金具は、保持片２９が、蝶番片２０a、２０ｂの拡開状態の保持とともに、防水シート５０の押さえの機能を持っているので、施工後防水シート５０がベース金具１０の前面から浮き、よじれを生じるのを防止し、防水シートの張設状態を良好に保つことができる。また、雌ねじ部材２６として角ナット２６を用いることにより、市販の部材が使用でき、雌ねじ部材２６として特別な加工部品を使用する必要がないので、その分安価な製品とすることができる。
【符号の説明】
【００２３】
１０  ベース金具
１１  基板
１２  係止部
２０  蝶番状係止部材
２０a、２０ｂ  蝶番片
２４  操作杆
２５  吊り鉄筋
２６  雌ねじ部材
２８  支持ピン
２９  保持片
４０  支保工
５０  防水シート
【図１】
0005508191.tif 000002
【図２】
0005508191.tif 000003
【図３】
0005508191.tif 000004